(57)【要約】【課題】扉及び載置台の清掃性を向上させ、使い勝手の良い加熱調理器を提供すること。【解決手段】加熱室内の載置台上に置かれた食品を加熱する加熱調理器であって、前記加熱室の前面に縦開きのドアを有し、前記ドアを完全に開けた状態において、前記加熱室内の底面と前記ドア面とが略水平かつ略同一の高さとなる加熱調理器において、前記加熱室内の底面から所定間隔上方に前記載置台を配置させるために前記載置台の四隅に設けられる脚部と、前記加熱室の側板に設けられ、前記脚部のうち前記加熱室の奥側に位置する後脚部に設けられた突起が係合しながら前記載置台が摺動するためのレールとを備えたことにより、載置台７３を簡単でスムーズに取り出せると共に、加熱室５１内の底面５３ａの清掃がし易くなる。【選択図】図４
2008309481.tif 000002
【特許請求の範囲】
【請求項１】
加熱室内の載置台上に置かれた食品を加熱する加熱調理器であって、前記加熱室の前面に縦開きのドアを有し、前記ドアを完全に開けた状態において、前記加熱室内の底面と前記ドア面とが略水平かつ略同一の高さとなる加熱調理器において、前記加熱室内の底面から所定間隔上方に前記載置台を配置させるために前記載置台の四隅に設けられる脚部と、前記加熱室の側板に設けられ、前記脚部のうち前記加熱室の奥側に位置する後脚部に設けられた突起が係合しながら前記載置台が摺動するためのレールとを備えた加熱調理器。
【請求項２】
前記レールが、前記後脚部に設けられた突起に当たり、前記載置台の水平方向の摺動を停止させるストッパと、前記ストッパにつながる、前記載置台の取り付けおよび取り外し時のガイドとを備えた請求項１に記載の加熱調理器。
【発明の詳細な説明】
【技術分野】
【０００１】
本発明は、縦開きの扉を有した加熱調理器の清掃性、安全性、使い勝手を向上させる改良技術に関するものである。
【背景技術】
【０００２】
従来、この種の加熱調理器としては、加熱室内が高温となるオーブントースターで扉を開けると食品載置台が連動し平行に出てくる構成が一般的である（たとえば、特許文献１参照）。
【０００３】
図１１において、加熱室１の内部には食品等の被加熱物を載せるための載置台２が配置されている。加熱室１の両側の側壁に設けられた載置台スライド孔３から加熱室１内に突出して設けられている載置台保持棒４は載置台スライド孔３に沿って移動でき、保持棒４には載置台２の側部が接続されている。加熱室１の前面には扉５が設けられ、扉５の下部両端は本体６に固定され、本体６の固定部を支点に縦に開閉できる構成となっている。扉５の裏面には、突出して設けられている載置台引出しレバー７を左右に設け、載置台２を引出しレバー７の載置台係合溝部８に着脱可能に引っ掛けられている。
【特許文献１】特開２０００−７９０６６号公報
【発明の開示】
【発明が解決しようとする課題】
【０００４】
しかしながら、前記従来の構成では、載置台２は加熱室１の両側面に設けたスライド孔３の形状と、扉５に設けた引出しレバー７の形状や高さの調整で水平状態を保ちながら、扉５の開閉に連動して前後方向に移動することができ、調理時に熱い加熱室１から食品等の被加熱物を取り出す安全性は良いが、載置台２を清掃する時は扉５を全開すると外すことができず、扉５を途中で止めた状態でしか外せない構成となっている。
【０００５】
また、扉５の内側に載置台２を引き出すレバー７が突出しているため、扉５の清掃がしにくいという２つの課題を有していた。
【０００６】
本発明は、前記従来の課題を解決するもので、ドアを開き載置台を手前に引き出すと、前記載置台は、加熱室内底面と前記ドア面上に乗った状態でも、載置台上面を水平に維持できる構成にすることで、扉及び載置台の清掃性を向上させ、使い勝手の良い加熱調理器を提供することを目的とする。
【課題を解決するための手段】
【０００７】
前記従来の課題を解決するために、本発明の加熱調理器は、加熱室の前面に縦開きのドアを有し、前記ドアを開き載置台を手前に引き出すと、前記載置台は、加熱室内底面と前記ドア面上に乗った状態でも、載置台上面を水平に維持できる構成としたものである。
【０００８】
この加熱調理器では、載置台を単独で取り出せると共にドアに突起物がなくなり、清掃性が向上する。
【発明の効果】
【０００９】
本発明の加熱調理器は、加熱室の前面に縦開きのドアを有し、加熱室内底面と前記ドア面上の高さが略同一高さになるようにし、前記ドアを開き載置台を手前に引き出すと、前記載置台は、加熱室内底面と前記ドア面上に乗った状態でも、載置台上面を水平に維持できる構成としたことにより、載置台７３は底板５３ａ上、扉３７の平面金属部分３７ａを
自由にスライドすることが可能となり、加熱室内が高温になっていても、扉３７を開き載置台７３をスライドして扉３７上に簡単に引き出すことが出来る。
【００１０】
お手入れをする場合は、レールストッパ９０ｃから斜めに持ち上げると、載置台７３の後脚部７５ｃ、７５ｄの異形の突起７５ｅ（断面円形で一部平面）がレールストッパ９０ｃから外れ、レール９０ａの下側の突起から斜めに傾斜させた壁に沿って簡単に載置台７３を外すことができる。
【００１１】
また、載置台７３は単独で取り出せる構成で、載置台７３、加熱室内のお手入れも簡単に行える。扉３７にも突起物もなく使い勝手のよい加熱調理器を提供することができる。
【発明を実施するための最良の形態】
【００１２】
第１の発明は、加熱室の前面に縦開きのドアを有し、前記ドアを開き載置台を手前に引き出すと、前記載置台は、加熱室内底面と前記ドア面上に乗った状態でも、載置台上面を水平に維持できる構成としたものである。
【００１３】
この加熱調理器では、載置台を単独で取り出せると共にドアに突起物がなくなり、清掃性が向上する。
【００１４】
第２の発明は、第１の発明にかかる加熱調理器であって、ドアを完全に開けた状態で、加熱室内底面と前記ドア面上の高さが略同一高さになることを特徴とする。この加熱調理器では、加熱室内底面と前記ドア面上の高さが略同一高さにすることで、高さのある被加熱物であっても、スムーズに引き出すことが可能となる。
【００１５】
第３の発明は、第１または２の発明にかかる加熱調理器であって、載置台の周辺に脚部を有し、前記載置台を手前に引き出すと、前記載置台の脚部がドアの水平面上を移動する構成としたことを特徴とする。この加熱調理器では、載置台の周辺に脚部を有し、前記載置台を手前に引き出すと、前記載置台の脚部がドアの水平面上を移動することで、載置台の移動中も被加熱物が安定してスムーズに引き出すことが可能となる。
【００１６】
第４の発明は、第１または２の発明にかかる加熱調理器であって、載置台の周辺に脚部を有し、前記載置台を手前に引き出すと、前記載置台の脚部がドアの金属部分面上を移動する構成としたことを特徴とする。この加熱調理器では、載置台の周辺に脚部を有し、前記載置台を手前に引き出すと、前記載置台の脚部がドアの金属部分面上を移動することで、載置台脚部、ドアの金属部分の摺動による摩耗を軽減でき、長時間の使用が可能となる。
【００１７】
第５の発明は、第１または２の発明にかかる加熱調理器であって、加熱調理器は高周波加熱手段を有し、ドアは、加熱室開口面と対向する位置に電波漏洩防止機能を兼ね備えた水平な金属部分とを備え、前記載置台を手前に引き出すと、前記載置台の脚部が安定して乗るように前記水平な金属部分を広くした構成としたことを特徴とする。この加熱調理器では、高周波加熱手段を有し、ドアは、加熱室開口面と対向する位置に電波漏洩防止機能を兼ね備えた水平な金属部分とを備えたものであっても、載置台の脚部が安定して乗るように前記水平な金属部分を広くした構成にすることで、載置台脚部、ドアの金属部分の摺動による摩耗を軽減でき、長時間の使用が可能となる。
【００１８】
第６の発明は、第５の発明にかかる加熱調理器であって、水平な金属部分は、加熱室開口面側を広くし、載置台を手前に引き出すと、前記載置台の脚部が安定して乗るように構成したことを特徴とする。この加熱調理器では、水平な金属部分は、加熱室開口面側を広くし、載置台を手前に引き出すと、前記載置台の脚部が安定して乗るように構成すること
で、載置台脚部、ドアの金属部分の摺動による摩耗を軽減でき、長時間の使用が可能となる。
【００１９】
第７の発明は、加熱室内の載置台上に置かれた食品を加熱する加熱調理器であって、前記前記載置台を移動さすためのレール部を設け、前記載置台を手前に引き出す際に、載置台を所定の位置で止めるストッパ部を有し、かつ前記載置台は前記加熱室内に着脱可能としたことを特徴とする。この加熱調理器では、前記前記載置台を移動さすためのレール部を設け、前記載置台を手前に引き出す際に、載置台を所定の位置で止めるストッパ部を有し、かつ前記載置台は前記加熱室内に着脱可能としたことで、引き出しすぎてドアから落ちるといった問題もなく、かつ載置台も単独で清掃できる。
【００２０】
第８の発明は、第７の発明にかかる加熱調理器であって、載置台を所定の位置まで引き出すと、前記載置台の１／３以上がドア上に位置する構成としたことを特徴とする。この加熱調理器では、載置台を所定の位置まで引き出すと、前記載置台の１／３以上がドア上に位置する構成としたことで、被加熱物を取る際、火傷の恐れを軽減できる。
【００２１】
第９の発明は、第７の発明にかかる加熱調理器であって、加熱調理器は高周波加熱手段を有し、マグネトロンと導波管とを加熱室の後ろよりに配置することで、載置台を引き出しても重心が安定する構成としたことを特徴とする。
【００２２】
この加熱調理器では、加熱調理器は高周波加熱手段を有し、マグネトロンと導波管とを加熱室の後ろよりに配置することで、載置台を引き出しても重心が安定する構成としたことで、重量のある被加熱物の取り出しに際しても、製品の転倒等のない安全な商品となる。
【００２３】
第１０の発明は、第９の発明にかかる加熱調理器であって、ストッパ部を絶縁体で構成したことを特徴とする。この加熱調理器では、ストッパ部を絶縁体で構成したことで、載置台と加熱室間を絶縁することができ、スパーク等のない安全な商品となる。
【００２４】
第１１の発明は、第７〜１０の発明にかかる加熱調理器であって、加熱室壁面上に形成された孔部または切り込み部にストッパ部のツメを引っ掛けて取り付ける構成としたことを特徴とする。この加熱調理器では、加熱室壁面上に形成された孔部または切り込み部にストッパ部のツメを引っ掛けてのみで取り付ける構成としたことで、容易に組み立てができる。
【００２５】
第１２の発明は、第１１の発明にかかる加熱調理器であって、加熱室は複数の壁面部材から成り、曲げ、かしめ、スポット溶接などによりユニット化して形成するものとし、ストッパを所定の壁面に仮止めしたあとにユニット化することで、前記ストッパが他の壁面に規制されて外れなくなる構成としたことを特徴とする。この加熱調理器では、ユニット化することで、前記ストッパが他の壁面に規制されて外れなくなる構成としたことで、容易に組み立てができる。
【００２６】
第１３の発明は、第１１または１２の発明にかかる加熱調理器は、請求１１または請求１２記載の加熱調理器であって、マイクロ波により食品を加熱する加熱調理器であって、孔部または切り込み部の長さをマイクロ波の波長の１／４以下としたことを特徴とする。この加熱調理器では、孔部または切り込み部の長さをマイクロ波の波長の１／４以下としたことで、孔部または切り込み部からの電波漏洩を抑えることができる。
【００２７】
第１４の発明は、第１４の発明にかかる加熱調理器は、請求７または請求８記載の加熱調理器であって、載置台の後ろ側の脚部がストッパ部に当接することで、前記載置台を引
き出すことが妨げられる構成としたことを特徴とする。この加熱調理器では、載置台の後ろ側の脚部がストッパ部に当接することで、載置台の移動距離を自在に選択できる。
【００２８】
第１５の発明は、第１４の発明にかかる加熱調理器であって、ストッパ部の後ろ側にレールを一体化し、載置台の後ろ側の脚部が前記レールに沿って前後方向に移動自在な構成としたことを特徴とする。この加熱調理器では、ストッパ部の後ろ側にレールを一体化し、載置台の後ろ側の脚部が前記レールに沿って前後方向に移動自在な構成としたことで、組み立て性が向上する。
【００２９】
第１６の発明は、第１４または１５の発明にかかる加熱調理器であって、載置台の後ろ側の脚部をレールには接するが加熱室底面には接しない構成とし、前記載置台の後ろ側の脚部と前記レールとの接点を支点にして前記載置台の手前側を持ち上げることが容易な構成としたことを特徴とする。この加熱調理器では、加熱室底面には接しない構成とし、前記載置台の後ろ側の脚部と前記レールとの接点を支点にして前記載置台の手前側を持ち上げることが容易な構成としたことで、加熱室内の底面の清掃性が向上する。
【００３０】
第１７の発明は、第７の発明にかかる加熱調理器であって、ストッパ部の上部を手前側に傾斜させる構成としたことを特徴とする。この加熱調理器では、ストッパ部の上部を手前側に傾斜させる構成としたことで、ガイドとなり容易に載置台の挿入、挿抜が可能となる。
【００３１】
以下、本発明の実施の形態について、図面を参照しながら説明する。なお、この実施の形態によって本発明が限定されるものではない。
【００３２】
（実施の形態１）
図１は本発明に係る加熱調理器の扉を開けた状態を前側から見た斜視図、図２は載置台の斜視図、図３は図１に示した加熱調理器のＡ−Ａ矢視を（ａ）、Ｂ−Ｂ矢視を（ｂ）に表した内部構造の説明図である。
【００３３】
本実施の形態による加熱調理器１００は、例えば直方体状に形成した本体３１の前面が開口部３３となり、この開口部には窓３５を有した扉３７が、下部に設けられたヒンジ３８（図３参照）を介して開閉自在に取り付けられている。扉３７には加熱室開口面と対向する位置に水平な金属部分３７ａが設けてあり、扉３７を閉めた状態で本体３１の前面開口部３３と接触する位置関係としている。また、本体３１の前面開口部３３の左右に対向する扉３７の水平な金属部分３７ａは後で説明する載置台７３の耐熱樹脂の脚部７５が乗る幅以上の広さとしている。本体３１の前面開口部３３の上下に対向する扉３７の水平な金属部分３７ａは、前面開口部３３と略同位置としている。扉３７の開放は、ストッパ３９によって略水平状態で規制されるようになっている。扉３７の内面にはロック爪４１が突設され、ロック爪４１は本体３１に設けられたロック孔４３に進入して扉３７を閉止状態にロック可能としている。また、扉３７の内面には閉止検出突起４５が突設され、閉止検出突起４５は本体３１に設けられた検出孔４７に進入し、扉３７の閉止状態が検出されるようになっている。なお、この閉止検出信号は、後述するマグネトロンの安全停止制御等に用いられる。
【００３４】
本体３１の内部には本体３１の外装板４９に覆われた加熱室５１が設けられ、加熱室５１は開口部３３により開口されて扉３７によって開閉される。加熱室５１は、面材５３である底板５３ａ、側板５３ｂ、後板５３ｃ、天板５３ｄによって、前面の開口した箱状に形成されている。底板５３ａ下方に下部加熱部６１（図３参照）があり、熱変形防止、均一加熱のための絞り部５３１ａが設けてあるが、後で説明する載置台７３の耐熱樹脂の脚部７５が摺動する側壁５３ｂ近傍はフラットにしている。上記の面材５３としては、例え
ば自己浄化機能を有するセルフクリーニング層を有する鋼板や、表面に防汚性に優れるフッ素コーティングを施した鋼板等を好適に用いることができる。
【００３５】
本体３１の片端（右端）には電装室５５が設けられ、電装室５５には後述のマグネトロン等が設置される。電装室５５の前面には操作パネル５７が取り付けられ、操作パネル５７は加熱時間などを表示する（図示しない）表示部、高周波加熱又はヒータ加熱を選択する（図示しない）選択ボタン、加熱時間等の加熱条件を入力する（図示しない）入力ボタン等を有している。
【００３６】
加熱室５１には、底板５３ａ上に、載置台７３が置かれるようになっている。載置台７３は、底板５３ａと略同面積で形成されて、加熱室５１内へ挿入可能となっている。図２に示すように、載置台７３は、アルミ等の金属板からなり四隅にキャップ状の耐熱樹脂の脚部７５を備え、底板５３ａに置いた際に、底板５３ａから所定間隔上方に配置されるようになっている。前記扉３７が開かれ、略水平状態になった時には、底板５３ａと扉３７の金属部分３７ａが略同一高さとなってあり、載置台７３は底板５３ａ上、扉３７の平面金属部分３７ａを自由にスライドすることが可能となっている。
【００３７】
載置台７３には例えば長円状の複数の穴７７が穿設され、穴７７は天板５３ｄからの輻射熱を透過容易にするとともに、マイクロ波の乱反射効果を高めている。つまり、載置台７３は、焼き網機能と、マイクロ波の攪拌機能とを有している。
【００３８】
図３に示すように、本体３１は、加熱室５１の天板５３ｄの前面開口部３３側に上部加熱部５９、その後方に電装室５５に接続される導波路６７と、天板５３ｄに開口する導波路６７の導波孔６９を設けている。加熱室５１の下方には下部加熱部６１を有している。
【００３９】
ヒータ室６３は、断面台形状に形成され、凹部内面が棒状ヒータ６５の反射板となっている。導波路６７は、図３（ｂ）に示すように、Ｌ字状のダクトとして形成され、一端が上記導波孔６９として加熱室５１に開口し、他端が電装室５５に設けられたマグネトロン７１に接続されている。導波路６７、導波孔６９が天板５３ｂの後方に位置しているため、マグネトロン７１も同様に後方に配置している。マグネトロン７１は、（図示しない）高圧トランスによって駆動電力が供給されることで、マイクロ波を発振させ、導波路６７を介して導波孔６９から加熱室５１内へマイクロ波を発射する。なお、これらマグネトロン７１等は、電装室５５内に設けられた（図示しない）冷却ファンによって駆動時に冷却されるようになっている。以上のように構成された加熱調理器について、以下にその動作、作用を説明する。
【００４０】
まず、調理をする場合、扉３７を開き被加熱物（図示せず）を載置台７３に載せるが、載置台７３は単独で取り出せるため、操作しやすい扉３７上に置くことができる。扉３７には載置台７３の耐熱樹脂の脚部７５が乗る幅以上の広さの水平な金属部分３７ａに設定してあり、扉３７は略水平状態でストッパ３９により固定しているので安定した操作が行える。被加熱物を加熱室に入れるときは、加熱室底板５３ａと扉３７の金属部分３７ａが略同一高さとなっていること、載置台７３の耐熱樹脂の脚部７５が摺動する側壁５３ｂ近傍はフラットにしていることより、載置台７３は底板５３ａ上、扉３７の平面金属部分３７ａを自由にスライドすることが可能となっている。
【００４１】
調理目的に合った加熱（ヒーター加熱、高周波加熱ｅｔｃ）を操作パネル５７より選択し調理を開始する。設定時間終了後も同様で、加熱室内が高温になっていても、扉３７を開き載置台７３をスライドして扉３７上に簡単に引き出すことが出来、熱さを感じない位置で調理物を扱うことができる。また、載置台７３は単独で取り出せる構成で、載置台７３、加熱室内のお手入れも簡単に行える。扉３７にも突起物もなく使い勝手のよい構成と
なっている。
【００４２】
以上のように、本実施の形態においては、加熱室の前面に縦開きのドアを有し、加熱室内底面と前記ドア面上の高さが略同一高さになるようにし、前記ドアを開き載置台を手前に引き出すと、前記載置台は、加熱室内底面と前記ドア面上に乗った状態でも、載置台上面を水平に維持できる構成としたことにより、載置台７３は底板５３ａ上、扉３７の平面金属部分３７ａを自由にスライドすることが可能ととなり、加熱室内が高温になっていても、扉３７を開き載置台７３をスライドして扉３７上に簡単に引き出すことが出来る。
【００４３】
また、載置台７３は単独で取り出せる構成で、載置台７３の掃除、加熱室内の掃除も簡単に行える。扉３７にも突起物もなく使い勝手のよい加熱調理器を提供することができる。
【００４４】
（実施の形態２）
図４は本発明に係る加熱調理器の扉を開けた状態を前側から見た斜視図、図５は載置台の斜視図、図６は図４に示した加熱調理器のＡ−Ａ矢視を（ａ）、Ｂ−Ｂ矢視を（ｂ）に表した内部構造の説明図、図７は主要部断面図、図８（ａ）は主要部の正面図、図８（ｂ）は主要部詳細図である。
【００４５】
本実施の形態による加熱調理器１００は、例えば直方体状に形成した本体３１の前面が開口部３３となり、この開口部には窓３５を有した扉３７が、下部に設けられたヒンジ３８（図６参照）を介して開閉自在に取り付けられている。扉３７には加熱室開口面と対向する位置に水平な金属部分３７ａが設けてあり、扉３７を閉めた状態で本体３１の前面開口部３３と接触する位置関係としている。また、本体３１の前面開口部３３の左右に対向する扉３７の水平な金属部分３７ａは後で説明する載置台７３の耐熱樹脂の脚部７５が乗る幅以上の広さとしている。本体３１の前面開口部３３の上下に対向する扉３７の水平な金属部分３７ａは、前面開口部３３と略同位置としている。扉３７の開放は、ストッパ３９によって略水平状態で規制されるようになっている。扉３７の内面にはロック爪４１が突設され、ロック爪４１は本体３１に設けられたロック孔４３に進入して扉３７を閉止状態にロック可能としている。また、扉３７の内面には閉止検出突起４５が突設され、閉止検出突起４５は本体３１に設けられた検出孔４７に進入し、扉３７の閉止状態が検出されるようになっている。なお、この閉止検出信号は、後述するマグネトロンの安全停止制御等に用いられる。
【００４６】
本体３１の内部には本体３１の外装板４９に覆われた加熱室５１が設けられ、加熱室５１は開口部３３により開口されて扉３７によって開閉される。加熱室５１は、面材５３である底板５３ａ、側板５３ｂ、後板５３ｃ、天板５３ｄによって、前面の開口した箱状に形成されている。底板５３ａ下方に下部加熱部６１（図６参照）があり、熱変形防止、均一加熱のための絞り部５３１ａが設けてあるが、後で説明する載置台７３の耐熱樹脂の脚部７５が摺動する側壁５３ｂ近傍はフラットにしている。上記の面材５３としては、例えば自己浄化機能を有するセルフクリーニング層を有する鋼板や、表面に防汚性に優れるフッ素コーティングを施した鋼板等を好適に用いることができる。
【００４７】
本体３１の片端（右端）には電装室５５が設けられ、電装室５５には後述のマグネトロン等が設置される。電装室５５の前面には操作パネル５７が取り付けられ、操作パネル５７は加熱時間などを表示する（図示しない）表示部、高周波加熱又はヒータ加熱を選択する（図示しない）選択ボタン、加熱時間等の加熱条件を入力する（図示しない）入力ボタン等を有している。
【００４８】
加熱室５１の側壁５３ｂには、載置台７３を前後に移動させるためのレール９０ａが両
サイドに設けられている。レール９０ａは耐熱樹脂（ＰＰＳ）にしておりヒーター加熱にも耐えられる。図５、図８（ｂ）に示すように、載置台７３は、アルミ等の金属表面に耐熱塗装を施しており、四隅には耐熱樹脂（ＰＰＳ）の脚部７５を備えている。載置台７３の前脚部７５ａ、７５ｂは底板５３ａ上に接し、後脚部７５ｃ、７５ｄは、前記レール９０ａを摺動する。後脚部７５ｃと対象の後脚部７５ｄにはレール９０ａを摺動するための、異形の突起７５ｅ（断面円形で一部平面）を設けている。図７、図８（ａ）に示すように、レール９０ａは断面形状が上下に突起中央に平面部を有しており、前記載置台の後脚部７５ｃ、７５ｄの異形の突起７５ｅはこの平面部を摺動する。また、後脚部７５ｃと底板５３ａ間には隙間を設けている。この隙間は図１０に示すように、加熱室内に設置した載置台７３の前を天板５３ｄに当てた時でも、底板５３ａに当たらない寸法としている。図８（ａ）に示すように、前記レール９０ａの下側の突起の片側には一部垂直の壁９０ｃを持つ上の突起に向け斜めに傾斜させた壁を設けている。
【００４９】
前記、後脚部７５ｃ、７５ｄの異形突起７５ｅの平面部がレール９０ａの一部垂直の壁９０ｃに当たり、それ以上引き出せないようになっている。載置台７３は、この上と下の突起の間より後脚部７５ｃ、７５ｄを挿入し、レールに沿って挿入する。載置台７３はこの四隅の脚部７５ａ、７５ｂ、７５ｃ、７５ｄによって、底板５３ａに置いた際に、底板５３ａから所定間隔上方に配置されるようになっている。前記扉３７が開かれ、略水平状態になった時には、底板５３ａと扉３７の金属部分３７ａが略同一高さとなってあり、載置台７３は底板５３ａ上、扉３７の平面金属部分３７ａを自由にスライドすることが可能となっている。
【００５０】
載置台７３には例えば長円状の複数の穴７７が穿設され、穴７７は天板５３ｄからの輻射熱を透過容易にするとともに、マイクロ波の乱反射効果を高めている。つまり、載置台７３は、焼き網機能と、マイクロ波の攪拌機能とを有している。
【００５１】
図６（ａ）、図６（ｂ）に示すように、本体３１は、加熱室５１の天板５３ｄの前面開口部３３側に上部加熱部５９、その後方に電装室５５に接続される導波路６７と、天板５３ｄに開口する導波路６７の導波孔６９を設けている。加熱室５１の下方には下部加熱部６１を有している。
【００５２】
ヒータ室６３は、断面台形状に形成され、凹部内面が棒状ヒータ６５の反射板となっている。導波路６７は、図６（ｂ）に示すように、Ｌ字状のダクトとして形成され、一端が上記導波孔６９として加熱室５１に開口し、他端が電装室５５に設けられたマグネトロン７１に接続されている。導波路６７、導波孔６９が天板５３ｂの後方に位置しているため、マグネトロン７１も同様に後方に配置している。マグネトロン７１は、（図示しない）高圧トランスによって駆動電力が供給されることで、マイクロ波を発振させ、導波路６７を介して導波孔６９から加熱室５１内へマイクロ波を発射する。なお、これらマグネトロン７１等は、電装室５５内に設けられた（図示しない）冷却ファンによって駆動時に冷却されるようになっている。
【００５３】
図９（ａ）〜（ｃ）はレールの取り付け方法を示す説明図である。
【００５４】
図９（ａ）のレール９０ａ、９０ｂ（壁面反対位置／図示せず）に設けた５つのツメを図９（ｂ）の加熱室側板５３ｂの５つの孔に挿入する。この時、レール９０ａの一部垂直の壁９０ｃを持つ上の突起に向け斜めに傾斜させた壁側を加熱室の前面開口部３３側にする。挿入後矢印の方向に角穴にあたるまでスライドさせる。その後、図９（ｃ）に示すように、一体で構成された側板５３ｂ、後板５３ｃを折り曲げレール９０ａ、９０ｂの固定としている。加熱室側板５３ｂの孔は、使用波長の１／４λ以下に設定して電波漏洩を防止している。本実施例では１５ｍｍ以下の角孔に設定している。レール９０ａの固定に必
要な追加部品もなく、安価で簡単かつ確実な固定が出来る。
【００５５】
以上のように構成された加熱調理器について、以下にその動作、作用を説明する。
【００５６】
まず、調理をする場合、扉３７を開き被加熱物（図示せず）を載置台７３に載せるが、載置台７３はレール９０ａ、９０ｂの垂直の壁（ストッパ）９０ｃまで引き出せる。このレール９０ａ、９０ｂのストッパ９０ｃを設けることで、誤って引き出しすぎて扉３７から被加熱物を落とすこともない。
【００５７】
レールストッパ９０ｃ位置は約１／３以上載置台７３が扉に乗るようにし、かつマグネトロン７１と導波路６７とを加熱室の後ろよりに配置することで、重心が後になり、本体の安定感が増し、扉３７上で調理の準備をしても全く問題ない。
【００５８】
扉３７には載置台７３の耐熱樹脂の脚部７５が乗る幅以上の広さの水平な金属部分３７ａに設定してあること、扉３７は略水平状態でストッパ３９により固定していること、加熱室内底面と前記ドア面上の高さが略同一高さになるようしていること、載置台７３の耐熱樹脂の脚部７５が摺動する側壁５３ｂ近傍はフラットにしていることより、載置台７３は底板５３ａ上、扉３７の平面金属部分３７ａを自由にスライドすることが可能となっている。
【００５９】
被加熱物を加熱室内に入れ、調理目的に合った加熱（ヒーター加熱、高周波加熱ｅｔｃ）モードを操作パネル５７より選択し調理を開始する。載置台７３はヒーター加熱調理にも使用するため、金属製で耐熱塗装をしてあり、脚部７５は温度の比較的低い四隅に設けてある。高周波加熱時に加熱室壁５３との間でのスパークを防止するため、脚７５、レール９０は樹脂（ＰＰＳ）を使用している。したがって、ヒーター加熱時、高周波加熱時ともに安全に使用できる。
【００６０】
設定時間終了後の場合も調理開始時と同様で、被加熱物の載った載置台７３はレール９０ａ、９０ｂの垂直の壁（ストッパ）９０ｃまで引き出すとそれ以上引き出せないため、扉３７から被加熱物を落とす心配もない。
【００６１】
扉３７には載置台７３の耐熱樹脂の脚部７５が乗る幅以上の広さの水平な金属部分３７ａに設定してあること、扉３７は略水平状態でストッパ３９により固定していること、加熱室内底面と前記ドア面上の高さが略同一高さになるようしていること、載置台７３の耐熱樹脂の脚部７５が摺動する側壁５３ｂ近傍はフラットにしていることより、載置台７３は底板５３ａ上、扉３７の平面金属部分３７ａ上をスムーズに引き出すことが出来る。
【００６２】
レールストッパ９０ｃ位置は約１／３以上載置台７３が扉に乗るようにしており、加熱室内が高温になっていても、熱さを感じない位置で調理物を扱うことができる。お手入れの際は、載置台７３が加熱室内にセットされた状態でも、載置台７３の後脚部７５Ｃ、７５ｄの異形の突起７５ｅ（断面円形で一部平面）がレール９０ａ、９０ｂの突起間の平面部を回転できること、後脚部７５ｃと底板５３ａ間には隙間を設けていることより、載置台７３の前を上に持ち上げることができ、加熱室底板５３ａのお手入れが出来る構成としている。
【００６３】
また、載置台７３を洗う場合は、載置台７３を単独で取り出すことが可能な構成としている。扉３７側にまっすぐ引き出すと、載置台７３の後脚部７５ｃ、７５ｄの異形の突起７５ｅがレール９０ａの開口側の垂直壁９０ｃに当たりそれ以上引き出せない。載置台７３を上に持ち上げると、後脚部７５Ｃ、７５ｄの異形の突起７５ｅ（断面円形で一部平面）を支点に回転し、レール９０ａ、９０ｂ垂直の壁９０ｃからはずれ、斜めに傾斜させた
壁に沿って載置台７３が取り出せる。この斜めに傾斜させた壁は載置台を取り付け時のガイドの役目も担っている。このように載置台７３が単独で取り外せるため、載置台７３自体のお手入れも簡単であるが、加熱室内も何もなく簡単にお手入れができることとなる。
【００６４】
以上のように、本実施の形態においては、加熱室の前面に縦開きのドアを有し、加熱室内底面と前記ドア面上の高さが略同一高さになるようにし、前記載置台を移動さすためのレール部を設け、前記載置台を手前に引き出す際に、載置台を所定の位置で止めるストッパ部を有し、かつ前記載置台は前記加熱室内に着脱可能としたことにより、載置台７３は底板５３ａ上、扉３７の平面金属部分３７ａを自由にスライドすることが可能となり、加熱室内が高温になっていても、扉３７を開き載置台７３をスライドして扉３７上に簡単に引き出すことが出来る。
【００６５】
また、載置台７３は単独で取り出せる構成で、載置台７３の掃除、加熱室内の掃除も簡単に行える。扉３７にも突起物もなく使い勝手のよい加熱調理器を提供することができる。
【００６６】
さらに、レール９０ａ、９０ｂの加熱室への固定はレール９０ａ、９０ｂのツメを加熱室側板５３ｂの孔に挿入し、側板５３ｂ、後板５３ｃを折り曲げによって固定としている。そのため余分な部品も必要なく、安価でシンプルかつ確実強固な固定が簡単な構成でできる。また、加熱室側板５３ｂの孔は、使用波長の１／４λ以下の小さな穴にしており、穴からの電波漏洩も心配ない。
【図面の簡単な説明】
【００６７】
【図１】本発明の実施の形態１における加熱調理器の扉を開けた状態を前側から見た斜視図
【図２】本発明の実施の形態１における加熱調理器の載置台の斜視図
【図３】本発明の実施の形態１における加熱調理器の図１に示した加熱調理器のＡ−Ａ矢視を（ａ）、Ｂ−Ｂ矢視を（ｂ）に表した内部構造の説明図
【図４】本発明の実施の形態２における加熱調理器の扉を開けた状態を前側から見た斜視図
【図５】本発明の実施の形態２における加熱調理器の載置台の斜視図
【図６】本発明の実施の形態１における加熱調理器の図１に示した加熱調理器のＡ−Ａ矢視を（ａ）、Ｂ−Ｂ矢視を（ｂ）に表した内部構造の説明図
【図７】本発明の実施の形態２における加熱調理器の主要部断面図
【図８】本発明の実施の形態２における加熱調理器の主要部の正面図を（ａ）、所要部の詳細図を（ｂ）に示した図
【図９】本発明の実施の形態２における加熱調理器のレールの取り付け方法を（ａ）〜（ｃ）に示した説明図
【図１０】本発明の実施の形態２における加熱調理器の載置台の断面図
【図１１】従来のオーブントースターの扉を開けた状態の斜視図
【符号の説明】
【００６８】
３７  扉
５１  加熱室
５３  面材  
５３ａ  底板（面材）
５３ｂ  側板（面材）
５３ｃ  後板（面材）
５３ｄ  天板（面材）
７３    載置台
７５ａ  前脚部
７５ｂ  前脚部
７５ｃ  後脚部
７５ｄ  後脚部
９０  レール
９０ｃ  レールストッパ
【図１】
2008309481.tif 000003
【図２】
2008309481.tif 000004
【図３】
2008309481.tif 000005
【図４】
2008309481.tif 000006
【図５】
2008309481.tif 000007
【図６】
2008309481.tif 000008
【図７】
2008309481.tif 000009
【図８】
2008309481.tif 000010
【図９】
2008309481.tif 000011
【図１０】
2008309481.tif 000012
【図１１】
2008309481.tif 000013